(57)【要約】【課題】取付対象の貫通穴に複数のケーブルを、水密性を確保しながら一括して組み込む構造を低コストで実現することができるケーブルの取付構造を提供する。【解決手段】外周上に肉厚のＯリング２を装着した１つのハウジング３に複数のケーブル１を水密状態に一括して組み込み、この１つのハウジング３を、取付対象であるパネル４に形成された１つの貫通穴５に圧入し、容易に水密性を確保してハウジング３を貫通穴５に嵌合可能とした。【選択図】  図１
2004153903.tif 000002
【特許請求の範囲】
【請求項１】
取付対象に複数本のケーブルを水密状態に取り付けるケーブルの取付構造において、
前記複数本のケーブルを水密状態に一括して組み込み、外周上にパッキンを装着した１つのハウジングを、前記取付対象に形成した１つの貫通穴に、前記パッキンが密着されるように圧入して成る
ことを特徴とするケーブルの取付構造。
【請求項２】
前記取付対象における前記貫通穴の挿入口の縁を、テーパー形状とした
ことを特徴とする請求項１に記載のケーブルの取付構造。
【請求項３】
前記ハウジングに外周上に、外周に沿って凹溝を形成し、この凹溝に嵌合する凸部を前記パッキンに形成した
ことを特徴とする請求項１に記載のケーブルの取付構造。
【請求項４】
前記パッキンにおいて、前記貫通穴の周面と前記ハウジングの外周面との間の厚みを所定の肉厚寸法とし、前記貫通穴の周面と当接する外周面に外周に沿った溝を形成した
ことを特徴とする請求項１に記載のケーブルの取付構造。
【請求項５】
前記取付対象の前記貫通穴の形成面と直交する端面にネジ穴を形成し、前記ハウジングを前記取付対象に固定するために前記ハウジングに取り付けられたＬ型ブラケットを、前記ネジ穴を介して前記取付対象にネジで固定する
ことを特徴とする請求項１に記載のケーブルの取付構造。
【発明の詳細な説明】
【０００１】
【発明の属する技術分野】
本発明は、電気自動車用パワーハーネス接続部や、電気機器などにケーブルを取り付ける際のケーブルの取付構造に関する。
【０００２】
【従来の技術】
従来、例えば電気機器のパネル（取付対象）に複数本のケーブルを取り付ける場合、各々のケーブルの端末部に水密的にハウジングを取り付け、このハウジングの外周上にパッキン（Ｏリング）を装着し、この各端末部をパネルに形成された個別の貫通穴にそれぞれ圧入するようにしている。しかし、この作業を各ケーブル毎に行うのは非効率的であるため、上記のように処理された複数本のケーブルを一括して、さらに別の一つのハウジングに組み込み、このハウジングで一括された各端末部を同時に、パネルの個々の貫通穴に圧入する構造とするのが普通である。
【０００３】
この構造の場合、各端末部に装着されるＯリングは水密性を充分なものとするため、その外径公差が（８／１００）ｍｍ程度に設定されるが、各端末部と各貫通穴との間に心ズレが生じると、端末部のＯリングと貫通穴との間の水密性が損なわれるので、ハウジングに一括して組み込む際に各ケーブルの端末部相互間の寸法精度が厳しく設定されるようになっている（例えば、特許文献１参照。）。
【０００４】
【特許文献１】
特開２００１−３１３１００号公報
【０００５】
【発明が解決しようとする課題】
しかし、従来のケーブルの取付構造においては、ハウジングに一括して組み込まれる各ケーブルの端末部相互間の寸法精度を厳しく設定する必要があるので、その分、コストが高くなるという問題がある。
【０００６】
本発明は、かかる点に鑑みてなされたものであり、取付対象の貫通穴に複数のケーブルを、水密性を確保しながら一括して組み込む構造を低コストで実現することができるケーブルの取付構造を提供することを目的とする。
【０００７】
【課題を解決するための手段】
上記課題を解決するために、本発明のケーブルの取付構造は、取付対象に複数本のケーブルを水密状態に取り付けるケーブルの取付構造において、前記複数本のケーブルを水密状態に一括して組み込み、外周上にパッキンを装着した１つのハウジングを、前記取付対象に形成した１つの貫通穴に、前記パッキンが密着されるように圧入して成ることを特徴としている。
【０００８】
また、前記取付対象における前記貫通穴の挿入口の縁を、テーパー形状としたことを特徴としている。
【０００９】
また、前記ハウジングに外周上に、外周に沿って凹溝を形成し、この凹溝に嵌合する凸部を前記パッキンに形成したことを特徴としている。
【００１０】
また、前記パッキンにおいて、前記貫通穴の周面と前記ハウジングの外周面との間の厚みを所定の肉厚寸法とし、前記貫通穴の周面と当接する外周面に外周に沿った溝を形成したことを特徴としている。
【００１１】
また、前記取付対象の前記貫通穴の形成面と直交する端面にネジ穴を形成し、前記ハウジングを前記取付対象に固定するために前記ハウジングに取り付けられたＬ型ブラケットを、前記ネジ穴を介して前記取付対象にネジで固定することを特徴としている。
【００１２】
【発明の実施の形態】
以下、本発明の実施の形態について、図面を参照して詳細に説明する。
【００１３】
（実施の形態）
図１（ａ）〜（ｄ）に示す本実施の形態に係るケーブルの取付構造は、３本のケーブル１を一括して組み込み、外周上にパッキンとなる肉厚のＯリング２を装着したハウジング３を、電気機器のパネル（取付対象）４に形成された１つの貫通穴５に圧入するようになっている。
【００１４】
ハウジング３は、ケーブル１のコア１ａを挿入する３つの貫通穴を有するトラック形状を成し、このトラック形状部分の外周上には、Ｏリング２を固定するための凹溝３ａが形成されている。また、ハウジング３は、トラック形状部分から各コア１ａを個々に収容する突出部分を有し、この部分の周囲に補強金具であるフェルール６が固定されている。このフェルール６及びケーブル１の外被の一部が熱収縮チューブ７によって被覆されている。
【００１５】
更に、ハウジング３の熱収縮チューブ７が被覆された部分には、パネル４に各ケーブル１を固定するためのＬ型ブラケット８が取り付けられている。このＬ型ブラケット８は、パネル４の上端面と貫通穴５の形成面とに係合し、その上端面と当接する面に、ネジ９を通すための２つのネジ挿通穴８ａが形成されている。
【００１６】
Ｏリング２は、ハウジング３の凹溝３ａに嵌合される凸部を有すると共に、パネル４の貫通穴５の面に密着される外周面が、より密着して水密性を高めるために凹凸状に形成されている。
【００１７】
また、図２に示すように、パネル４の貫通穴５は、Ｏリング２の外周と同形状に形成されており、この貫通穴５のハウジング３が挿入される挿入口は、ハウジング３を挿入しやすくするためにテーパー形状５ａに成形されている。また、パネル４の上端面には、ネジ９を螺合する２つのネジ穴４ａが形成されており、その上端面と貫通穴５の形成面との角は、４ｂで示すように斜めにカットされている。これは、Ｌ型ブラケット８を取り付ける場合に、その角がＬ型ブラケット８の折り曲げ部分に当たり、Ｌ型ブラケット８がパネル４の上端面と貫通穴５の形成面との双方に密着されない状態を防止するためである。つまり、Ｌ型ブラケット８をパネル４の上端面と貫通穴５の形成面との双方に密着した状態で固定し、これによって各ケーブル１をパネル４に適正な状態で固定するためである。
【００１８】
このようなケーブルの取付構造において、パネル４に３本のケーブル１を取り付ける場合、各ケーブル１の端末部のコア１ａを露出させ、この各コア１ａをハウジング３の貫通穴に挿通したのち、熱収縮チューブ７を加熱、冷却する。これによって、各コア１ａがハウジング３に密着して固定される。このハウジング３を、パネル４の貫通穴５に圧入し、Ｌ型ブラケット８をパネル４にネジ９で固定する。
【００１９】
このようなケーブルの取付構造によれば、外周上に肉厚のＯリング２を装着した１つのハウジング３に複数のケーブル１を水密状態に一括して組み込み、この１つのハウジング３を、取付対象であるパネル４に形成された１つの貫通穴５に圧入すれば、容易に水密性を確保してハウジング３を貫通穴５に嵌合することができる。従って、従来のように、ハウジングに一括して組み込まれる各ケーブル相互間の寸法精度を厳しく設定する必要がなくなるので、その分、ケーブルの取付構造を低コストで実現することができる。なお、この構造の場合、ケーブル１とハウジング３との間の水密性確保に関しては、単一のケーブルが対象のため、寸法上の特別な厳しさは必要無い。
【００２０】
また、貫通穴５のハウジング３が挿入される挿入口の縁は、テーパー形状５ａに成形されているので、入り口部分が広がっており、ハウジング３が挿入しやすい。
【００２１】
また、Ｏリング２は、ハウジング３の凹溝３ａに凸部が嵌合されて装着されているので、貫通穴５への圧入時に、ハウジング３からＯリング２が外れるといったことを防止することができる。
【００２２】
また、ハウジング３に装着されたＯリング２は肉厚で、その表面が凹凸に形状されているので弾力性が高まり、貫通穴５に嵌合された際に密着性が高まるので、より水密性を高めることができる。
【００２３】
また、ハウジング３をパネル４に固定する際に、Ｌ型ブラケット８でパネル４の上方から下へ向かってネジ止めできるようにしたので、横方向からネジ止めする場合よりも組み立て作業が容易となる。従来は、横方向からネジ止めを行っていた。
【００２４】
また、ネジ止めの方向が、貫通穴５に嵌合されたＯリング２の肉厚の伸縮方向と同じなので、Ｌ型ブラケット８でのハウジング３の固定位置が、やや上下しても、Ｏリング２を貫通穴５に密着させることができ、水密性を損なうことはない。従って、Ｌ型ブラケット８の取り付け位置の精度を厳しく設定する必要がないので、その分、低コスト化を図ることが可能となる。
【００２５】
【発明の効果】
以上説明したように、本発明によれば、取付対象に複数本のケーブルを水密状態に取り付けるケーブルの取付構造において、複数本のケーブルを水密状態に一括して組み込み、外周上にパッキンを装着した１つのハウジングを、取付対象に形成した１つの貫通穴に、パッキンが密着されるように圧入して成るようにした。従って、容易に水密性を確保してハウジングを貫通穴に嵌合することができ、従来のように、ハウジングに一括して組み込まれる各ケーブル相互間の寸法精度を厳しく設定する必要がなくなるので、その分、ケーブルの取付構造を低コストで実現することができる。
【図面の簡単な説明】
【図１】本発明の実施の形態に係るケーブルの取付構造を示し、（ａ）は正面図、（ｂ）は平面図、（ｃ）は側面図、（ｄ）は側面断面図である。
【図２】取付対象である電気機器のパネルの特徴部分を示し、（ａ）は側面図、（ｂ）は平面図である。
【符号の説明】
１  ケーブル
１ａ  ケーブルのコア
２  Ｏリング
３  ハウジング
３ａ  ハウジングの凹溝
４  パネル
４ａ  ネジ穴
４ｂ  カット部分
５  パネルの貫通穴
５ａ  テーパー形状部分
６  フェルール
７  熱収縮チューブ
８  Ｌ型ブラケット
８ａ  ネジ挿通穴
９  ネジ
【図１】
2004153903.tif 000003
【図２】
2004153903.tif 000004